(57)【要約】【課題】電力管理コントローラの機能を分散させ、ＰＬＣを利用したネットワークに接続した、警告情報等を映像マークや音声で即座に報知することができる電子機器を提供する。【解決手段】電力管理コントローラからの電力管理情報が電力供給停止の情報であり、該情報を受信した場合、ディスプレイ画面上に警告マーク又は警告メッセージを生成する警告マーク生成手段と、音声装置を介して警告音を生成する警告音生成手段と、前記警告マーク生成手段により生成された該警告マークの表示及び前記警告音生成手段により生成された前記警告音の発生が行われた後、所定時間経過後に自動的に電源をオフする電源オン・オフ制御手段と、を備えて構成し、前記電力供給停止の情報を受けた後、前記警告マーク及び警告音により電源オフする前に事前に通告する。【選択図】図１
2008017314.tif 000002
【特許請求の範囲】
【請求項１】
住戸内に配設されている電力線を使用した電力線通信ネットワークに接続している電力管理コントローラと、電力管理情報を送受する前記電力通信ネットワークに接続している住戸用電子装置であって、
前記電力管理情報が電力供給停止の情報であり、該情報を受信した場合、ディスプレイ画面上に警告マーク又は警告メッセージを生成する警告マーク生成手段と、
音声装置を介して警告音を生成する警告音生成手段と、
前記警告マーク生成手段により生成された該警告マークの表示及び前記警告音生成手段により生成された前記警告音の発生が行われた後、所定時間経過後に自動的に電源をオフする電源制御手段と、を備え、
前記電力供給停止の情報を受けた後、前記警告マーク及び警告音により電源オフする前に事前に通告し、前記電力管理コントローラとの連携動作により警告情報の正確性を向上することを特徴とする住戸用電子装置。
【請求項２】
前記電源オフ前の電源動作状態を記憶するメモリを備え、
前記電源制御手段は、前記電源オフ後に、前記電力管理情報から電力供給停止の解除情報を受信した場合、自動的に前記メモリに記憶した前記電源オフ前の前記電源動作状態を読み出し、該電源動作状態に戻すことを特徴とする請求項１に記載の住戸用電子装置。
【請求項３】
前記警告マーク生成手段は、自動的に警告マークを表示した後、ユーザの指令により、警告の内容をメッセージ表示し、さらに詳細の情報を報知することを特徴とする請求項１又は請求項２に記載の住戸用電子装置。
【請求項４】
前記電力管理コントローラの１部の制御状況を前記ディスプレイ画面上に表示する制御情報表示手段を備えたことを特徴とする請求項１から請求項３のいずれか１項に記載の住戸用電子装置。
【請求項５】
前記電力管理コントローラの１部の制御データを該電力管理コントローラの代わりに、設定することを特徴とする請求項１から請求項４のいずれか１項に記載の住戸用電子装置。
【発明の詳細な説明】
【技術分野】
【０００１】
本発明は、電力線通信ネットワークを介して電力管理警告情報の表示又は音声出力する住戸用電子装置に関する。
【背景技術】
【０００２】
近年、家庭内やオフィス内等に設置されている種々の電子機器の電源供給ラインを信号ラインとして用いた電力線通信（以下、「ＰＬＣ」という；Ｐｏｗｅｒ  Ｌｉｎｅ  Ｃｏｍｍｕｎｉｃａｔｉｏｎｓ）や無線ランにより、ホームネットワークを構築し、このネットワークを介して接続されている上記電子機器等の電力管理を行う試みが行われようとしている。
【０００３】
例えば、特許文献１には、上記ＰＬＣネットワークを使用して、家庭用電気製品の電力管理システムが提案されており、各家電機器における消費電力を集計、各種演算を行い、演算結果を専用の電力管理コントローラに表示し、消費電力量が所定値を越えそうになる、又は超えた場合には、警告音やメッセージを出力する電力管理システムに関する技術が開示されている。
【０００４】
また、優先順位の低い家電機器から順位に上記ネットワークを介して制御し電力供給を停止して、所定値を超えないように制御する電力管理システムに関する技術も開示されている。
【０００５】
なお、上記電力管理システムの制御の中心的役割を果たす電力管理コントローラは、ネットワークに接続している家電機器のうち、適当な１つの家電機器に内に設けるようにしても良いことが記載されている。
【特許文献１】特開平０９−８４１４６号公報
【発明の開示】
【発明が解決しようとする課題】
【０００６】
しかしながら、上記記載の従来の技術では、電力管理コントローラが１台のみであるため、電力管理コントローラが設置されている位置によっては、ユーザが警告音やメッセージを認識できない恐れもある。
【０００７】
また、警告音が認識できた場合でも、警告音の詳しい内容を知るために、電力管理コントローラの配置場所まで確認に行く必要があるとともに、即座に内容を知ることができない。
【０００８】
また、電力管理コントローラが電力供給の停止を、例えば、特に、家電機器の代表例であるテレビジョン装置に対して行われた場合、テレビジョン装置は突然停止することになる。そのため、ユーザは突然テレビジョン装置が停止したことで故障や停電といった誤認を受け易い。
【０００９】
さらに、テレビジョン装置がスタンバイ状態といった電源「ＯＦＦ」状態の時、電力管理コントローラからの停止制御を受けてＯＮできない場合も、同様に故障や停電といった誤認を与えてしまう。
【００１０】
本発明は、上記従来の問題点に鑑みてなされたものであって、電力管理コントローラの機能を分散させ、ＰＬＣを利用したネットワークに接続した、警告情報等を映像マークや音声で即座に報知することができる住戸用電子装置を提供しようとするものである。
【課題を解決するための手段】
【００１１】
上記課題を解決するために、本発明に係る住戸用電子装置は、以下のような特徴を備えている。
【００１２】
本発明に係る住戸用電子装置は、住戸内に配設されている電力線を使用した電力線通信ネットワークに接続している電力管理コントローラと、電力管理情報を送受する前記電力通信ネットワークに接続している電子機器であって、前記電力管理情報が電力供給停止の情報であり、該情報を受信した場合、ディスプレイ画面上に警告マーク又は警告メッセージを生成する警告マーク生成手段と、音声装置を介して警告音を生成する警告音生成手段と、前記警告マーク生成手段により生成された該警告マークの表示及び前記警告音生成手段により生成された前記警告音の発生が行われた後、所定時間経過後に自動的に電源をオフする電源制御手段と、を備え、前記電力供給停止の情報を受けた後、前記警告マーク及び警告音により電源オフする前に事前に通告し、前記電力管理コントローラとの連携動作により警告情報の正確性を向上することを特徴とする。
【００１３】
また、本発明に係る住戸用電子装置は、前記電源オフ前の電源動作状態を記憶するメモリを備え、前記電源制御手段は、前記電源オフ後に、前記電力管理情報から電力供給停止の解除情報を受信した場合、自動的に前記メモリに記憶した前記電源オフ前の前記電源動作状態を読み出し、該電源動作状態に戻すことを特徴とする。
【００１４】
また、本発明に係る住戸用電子装置は、前記警告マーク生成手段は、自動的に警告マークを表示した後、ユーザの指令により、警告の内容をメッセージ表示し、さらに詳細の情報を報知することを特徴とする。
【００１５】
また、本発明に係る住戸用電子装置は、前記電力管理コントローラの１部の制御状況を前記ディスプレイ画面に表示する制御情報表示手段を備えたことを特徴とする。
【００１６】
また、本発明に係る住戸用電子装置は、前記電力管理コントローラの１部の制御データを該電力コントローラの代わりに、設定することを特徴とする。
【発明の効果】
【００１７】
本発明に係る住戸用電子装置によれば、電力管理コントローラから電力の停止信号を受けた場合、「警告マーク」をディスプレイに表示し、「警告音」を出力することにより、即座にユーザに知らせることが可能であり、突然電源が切れることによる故障等の誤解を防止することできるとともに、ユーザは、より正確な警告情報を得ることが可能である。
【００１８】
また、本発明に係る住戸用電子装置によれば、強制「ＯＦＦ」が解除された場合、メモリに記憶している電源停止信号を受信する前の電源状態を読み出して、自動的にその状態に戻すことができ、ユーザの操作性の簡略化を図ることができる。
【００１９】
また、本発明に係る住戸用電子装置によれば、電力管理コントローラから電力の停止信号を受けた場合、「警告マーク」をディスプレイに表示した後、さらに、詳細なメッセージを表示できるため、ユーザの操作の利便性を図ることができる。
【００２０】
また、本発明に係る住戸用電子装置によれば、電力管理コントローラの機能である制御状態の表示や基本的な設定データの設定を行うことにより、電力管理コントローラの機能分担を軽減することができる効果がある。
【発明を実施するための最良の形態】
【００２１】
以下、本発明に係る住戸用電子装置の一実施形態について図面を参照して説明する。
【００２２】
図１〜図６は発明を実施する形態の一例であって、図中、図と同一の符号を付した部分は同一物を表わすものである。
【００２３】
まず、本発明に係る住戸用電子装置の詳細な構成及び動作を説明する前に、住戸用電子装置（ここでは、以下、液晶テレビジョン装置を例に説明する）及び電力管理コントローラとの役割分担を含むシステム動作について概略説明する。
【００２４】
図１は、ＰＬＣを行う液晶テレビジョン装置のブロック図である。
【００２５】
図２（ａ）は、本体の初期設定を行う場合の説明図であり、（ｂ）は、電力管理コントローラとの通信を行い、電力管理コントローラの一部設定を行う場合の説明図である。
【００２６】
図１に示すように、商用１００Ｖ電源は、家屋内に引き込まれた後、過電流遮断回路（ブレーカ）１０を介して家屋全体に分配される。この電力線１３を利用してＰＬＣを形成し、複数の住戸用電子装置（以下、電子機器という）の通信が行われる。
【００２７】
なお、この電力線１３に重畳される通信信号が家屋外に漏れることを防ぐために、通信信号の成分を除去するフィルタ１１が設けられている。
【００２８】
電子機器は、コンセント部を介して電力を受け取るとともに通信信号の送受信を行うが、図１では、コンセント部１４を介して液晶テレビジョン装置１５が接続されていることを示している。
【００２９】
また、上述したように、電力管理コントローラ１２も１つの電子機器であるが、通常、過電流遮断回路１０が搭載されている電力線を配分する配電盤又はその付近に配置され、電力通信ライン１３に設けられているコンセント部を介して接続されている全電子機器の電力管理情報を吸い上げるとともに、電子機器の電力管理を行う。
【００３０】
このように、電力管理コントローラ１２による集中管理では、従来のような問題点があると同時に電力管理コントローラ１２の規模も大きくなる。
【００３１】
そこで、電力管理コントローラ１２の一部の機能、例えば、図２（ｂ）に示すように、基本的な項目（例えば、警告音発生時間、警告音量、基準アンペア数等）を設定する機能や現在の制御状況を表示する機能（制御情報表示手段）を電子機器側で行うようにすることによって、電力管理コントローラの機能の分散化を図るようにしている。
【００３２】
また、図２（ａ）に示すように、電力管理コントローラ１２が、電子機器に対して電源を「ＯＦＦ」する指示を出力している場合に、電子機器自身が警告マークの表示や警告音を発生（警告マーク生成手段、警告音生成手段）することにより、その電子機器を使用しているユーザが即座に警告情報を知ることができるように、予め電子機器側で初期設定（警告マーク、警告音発生時間、電源ＯＦＦ時までの時間等）する。
【００３３】
なお、図２（ａ）及び（ｂ）に示すように、上記電子機器が液晶テレビジョン装置１５である場合の例であるが、例えば、液晶表示部と音声発生部を備えた電子機器であっても良い。
【００３４】
次に、液晶テレビジョン装置１５を例に構成について図１を用いて説明する。
【００３５】
図１に示すように、液晶テレビジョン装置１５は、電力線１３に配設されたコンセント１４から受け取る電力を電源回路１６に供給するとともに、これに重畳された受信通信信号から通信データを分離及びデータ変換部（後記）１８からの通信データを送信通信信号に変換し電力線に重畳する電力線モデム１７と、電力線モデム１７からの通信データを内部処理用のデータに変換する、逆に、内部処理用データを通信データに変換するデータ変換部１８と、電力管理コントローラ１２からの電力供給停止信号を受けて、液晶表示パネル２６に警告マークを生成し表示するための警告マーク生成手段、警告音をスピーカ２３に出力させる警告音生成手段、電力供給停止信号を受けて、所定時間経過後に本体の電源をオフする電源制御手段等を備えるとともに、本体全体の制御を行う制御部１９と、電力管理コントローラ１２からの電力供給停止信号を受けた直前の電源状態（電源「ＯＮ」、「ＯＦＦ（スタンバイ）」等の状態）を記憶しておくメモリ２０と、を備えて構成されている。
【００３６】
なお、制御部１９→音声信号処理部２２→スピーカ２３及び制御部１９→映像信号処理部２１→液晶コントローラ２４→液晶ドライバ２５→液晶表示パネル２６の信号の流れは、液晶テレビジョン装置１５の基本的な部分であり、ここでは説明を省く。
【００３７】
上記のように構成された液晶テレビジョン装置１５は、電力管理コントローラ１２が基本的な項目を設定する機能や現在の制御状況を表示する機能を電子機器側で行うようにすることができ、電力管理コントローラの機能の分散化を図ることができる。
【００３８】
また、電力管理コントローラ１２からの電力供給停止信号を受けた場合に、液晶表示パネル２６やスピーカ２３に警告マークの表示、警告音の生成が可能となるため、視聴しているユーザにとって、即座に警告情報を知ることが可能である。
【００３９】
次に、液晶テレビジョン装置１５を例にその動作について図３から図６を用いて詳細に説明する。
【００４０】
図３は、ＰＬＣを行う液晶テレビジョン装置の動作を示すフロー図（１／２）である。また、図４は、図３に示す動作フローの続きである。
【００４１】
図４は、液晶テレビジョン装置の電源が「ＯＮ」中に電力停止信号を受信した後の警告マーク表示及び発生する音声について動作フローに沿って説明した説明図である。
【００４２】
さらに、図５は、電源「ＯＦＦ（スタンバイ）」中に電力停止信号を受信した後のＬＥＤ表示について動作フローに沿って説明した説明図である。
【００４３】
なお、図３，４を用いて動作説明を行うにあたって、適宜、図５，６の内容を盛り込んで説明するものとする。
【００４４】
先ず、液晶テレビジョン装置１５の制御部１９は、電力管理関係の初期設定を行う。例えば、図２（ａ）に示すような液晶表示パネル２６に表示する警告マークの設定、警告音発生時間等の設定を行う。また、電力管理コントローラに対して、例えば、図２（ｂ）に示すような基準アンペア値等の設定を行う（ステップＳ１００）。
【００４５】
初期設定終了後、本体の電源が「ＯＮ」状態か否かを判断し（ステップＳ１０１）、「ＯＮ」であれば（ステップＳ１０１；Ｙｅｓ）、「ＯＮ」状態を維持し、メモリ２０に記憶する。「ＯＦＦ」であれば（ステップＳ１０１；Ｎｏ）、「ＯＦＦ」状態を維持し、メモリ２０に記憶する。
【００４６】
ここで、電力管理コントローラ１２から電力供給停止信号を受けているかを判定し（ステップＳ１０４）、受けていないのであれば（ステップＳ１０４；Ｎｏ）、ステップＳ１０１に処理を戻す。受けていれば（ステップＳ１０４；Ｙｅｓ）、電源が「ＯＮ」状態か判定し（ステップＳ１０５）、「Ｙｅｓ」であれば、液晶表示パネルに初期設定した警告マークを表示する。また、警告音をスピーカ２３より出力する（ステップＳ１０６）。
【００４７】
ステップＳ１０６の状態は、図５の（２）及び図６の（２）に示す状態に相当する。
【００４８】
「Ｎｏ」であれば、図４に示すステップＳ１１１に移行する（ステップＳ１０４；Ｎｏ）。
【００４９】
電力停止を即座に行うのを防止する、即ち、電力停止の機器が本機器であることを再度確認する時間を与えるために、カウンタにより時間のカウントを開始する（ステップＳ１０７）。そして、所定のカウント数に達したかどうか（所定時間が経過したか）を判定し（ステップＳ１０８）、経過していなければ（ステップＳ１０８；Ｎｏ）、警告マークの詳細なメッセージを確認するユーザによる操作があるか否かを判定する（ステップＳ１０９）。操作がなければ（ステップＳ１０９；Ｎｏ）、処理をステップＳ１０８に戻し、操作があれば（ステップＳ１０９；Ｙｅｓ）、画面上に詳細メッセージの表示を行う（ステップＳ１１０）。
【００５０】
ステップＳ１１０の状態は、図５の（３）に示す状態に相当する。
【００５１】
ステップＳ１０８で、所定の時間が経過すると（ステップＳ１０８；Ｙｅｓ）、図４に示すステップＳ１１１に移行する。図５の（６）に示す状態を示している。ステップＳ１１１の処理では、電源を「ＯＦＦ」し、図５の（７）、（８）及び図６の（３）に示す状態となる。
【００５２】
ここで、電源が「ＯＦＦ」するため、画面が消える。そこで、電源状態をＬＥＤで表示し、ユーザに「故障」等でない旨を報知する。
【００５３】
なお、図５の（４）、（５）に示すように、一旦、電力停止信号を受信した後、この信号が中断されて、電源が正常に戻った場合の処理については、図３には図示していない。
【００５４】
次に、ステップＳ１１１（この処理以降は図４のフロー図に示す）で、強制的に電源「ＯＦＦ」状態にした後、電力管理コントローラから解除信号があるか否かを判定し（ステップＳ１１２）、解除信号を受けるまで強制「ＯＦＦ」状態を維持する。
【００５５】
解除信号を受けると（ステップＳ１１２；Ｙｅｓ）、電源「ＯＦＦ」状態を解除する（ステップＳ１１３）。
【００５６】
次に、電源停止信号を受ける前の電源状態をメモリ２０から読み出し、「ＯＮ／ＯＦＦ」の判定を行う（ステップＳ１１４）。「ＯＮ」であれば（ステップＳ１１４；Ｙｅｓ）、電源状態を「ＯＮ」状態に戻す（ステップＳ１１５）。一方、「ＯＦＦ」であれば（ステップＳ１１４；Ｎｏ）、電源状態を「ＯＦＦ」状態に戻す（ステップＳ１１６）。
【００５７】
この状態は、図５の（９）、（１０）及び図６の（４）に示す状態に相当している。
【００５８】
最後に、ステップＳ１１５，１１６の処理を終了した後、処理をステップＳ１０１に戻し、電源コントローラからの電力供給停止信号を待つ処理を繰り返す。
【００５９】
以上説明したように、特に、電力管理コントローラ１２からの電力供給停止信号を受けた場合に、液晶表示パネル２６やスピーカ２３に警告マークの表示、警告音の生成が可能となるため、視聴しているユーザにとって、即座に警告情報を知ることが可能である。
【００６０】
尚、本発明に係る映像電子機器は、上記した実施形態に限定されるものではなく、本発明の要旨を逸脱しない範囲内において種々変更を加え得ることは勿論である。
【図面の簡単な説明】
【００６１】
【図１】ＰＬＣを行う液晶テレビジョン装置のブロック図である。
【図２】（ａ）は、本体の初期設定を行う場合の説明図であり、（ｂ）は、電力管理コントローラとの通信を行い、電力管理コントローラの一部設定を行う場合の説明図である。
【図３】ＰＬＣを行う液晶テレビジョン装置の動作を示すフロー図（１／２）である。
【図４】ＰＬＣを行う液晶テレビジョン装置の動作を示すフロー図（２／２）である。
【図５】電源「ＯＮ」中に電力停止信号を受信した後の警告マーク表示及び発生する音声について動作フローに沿って説明した説明図である。
【図６】電源「スタンバイ」中に電力停止信号を受信した後のＬＥＤ表示について動作フローに沿って説明した説明図である。
【符号の説明】
【００６２】
１０  過電流遮断回路
１１  フィルタ
１２  電力管理コントローラ
１３  電力線（電力通信ライン）
１４  コンセント部
１５  液晶テレビジョン装置
１６  電源回路
１７  電力線モデム
１８  データ変換部
１９  制御部（マイコン）
２０  メモリ
２１  映像信号処理部
２２  音声信号処理部
２３  スピーカ
２４  液晶コントローラ
２５  液晶ドライバ
２６  液晶表示パネル
２７  リモコン
【図１】
2008017314.tif 000003
【図２】
2008017314.tif 000004
【図３】
2008017314.tif 000005
【図４】
2008017314.tif 000006
【図５】
2008017314.tif 000007
【図６】
2008017314.tif 000008